(57)【要約】【課題】  駆動ガイドの駆動状況にかかわらずカード状の媒体を容易に一時的に保留することができる媒体処理装置を提供する。【解決手段】  駆動可能に構成される第１の駆動ガイドと、当該第１の駆動ガイドと対向して配設され、第１の駆動ガイドの駆動に伴って従動する第１の従動ガイドとを有し、カード状の媒体を当該第１の駆動ガイドと当該第１の従動ガイドとの間に挟持して搬送する第１の搬送部２１０と、第１の駆動ガイドと第１の従動ガイドとの間に配設される分離ガイド３３１ａ、３３１ｂを有し、媒体を第１の駆動ガイドから引き離す分離手段３３０とを備え、第１の従動ガイドは、媒体が第１の駆動ガイドから引き離される際に、従動が停止し、分離手段３３０は、媒体が第１の駆動ガイドから引き離される際に、媒体を第１の従動ガイドと分離ガイドとの間に保留することができるように構成される媒体処理装置。【選択図】  図３
2006103914.tif 000002
【特許請求の範囲】
【請求項１】
駆動可能に構成される第１の駆動ガイドと、当該第１の駆動ガイドと対向して配設され、前記第１の駆動ガイドの駆動に伴って従動する第１の従動ガイドとを有し、カード状の媒体を当該第１の駆動ガイドと当該第１の従動ガイドとの間に挟持して搬送する第１の搬送部と；
前記第１の駆動ガイドと前記第１の従動ガイドとの間に配設される分離ガイドを有し、前記媒体を前記第１の駆動ガイドから引き離す分離手段とを備え；
前記第１の従動ガイドは、前記媒体が前記第１の駆動ガイドから引き離される際に、従動が停止し、
前記分離手段は、前記媒体が前記第１の駆動ガイドから引き離される際に、前記媒体を前記第１の従動ガイドと前記分離ガイドとの間に保留することができるように構成される、
媒体処理装置。
【請求項２】
前記第１の駆動ガイドを駆動する駆動手段と；
前記駆動手段で駆動される第２の駆動ガイドを有する第２の搬送部とを備える；
請求項１に記載の媒体処理装置。
【請求項３】
前記第１の搬送部に沿うように配設され、前記媒体に処理を施す処理部を備え；
前記第１の駆動ガイド又は前記第１の従動ガイドは、略円筒状に形成された回転ローラである；
請求項１又は請求項２に記載の媒体処理装置。
【発明の詳細な説明】
【技術分野】
【０００１】
本発明は、媒体処理装置に関し、特に駆動ガイドの駆動状況にかかわらずカード状の媒体を容易に一時的に保留することができる媒体処理装置に関する。
【背景技術】
【０００２】
従来の媒体処理装置としては、カード状の媒体、例えばプリペイドカード（代金前払カード）等といった媒体に残金等の情報を記録するカード処理装置があった。このようなカード処理装置は、例えば自動改札装置や自動精算機に内蔵され、プリペイドカードに残金の情報を穿孔や印刷により記録できるものがあった。また、このようなカード処理装置には、種類の異なるカードを処理することができるものがあった。（例えば、特許文献１参照。）。
【特許文献１】特開平７−３３４７１４号公報  （第３−５頁、第１−２図）
【発明の開示】
【発明が解決しようとする課題】
【０００３】
しかしながら、このようなカード処理装置では、カード処理装置内に複数枚のカードを取り込み、処理するために、装置内を搬送されるカードを一時的に保留しておく場合に、例えば、駆動ベルトと、当該駆動ベルトに対向する従動ベルトとで挟持してカードを搬送する搬送部で、当該駆動ベルトの駆動状況に関係なくカードを一時的に保留することができないことがあった。
【０００４】
そこで、本発明は、駆動ガイドの駆動状況にかかわらずカード状の媒体を容易に一時的に保留することができる媒体処理装置を提供することを目的とする。
【課題を解決するための手段】
【０００５】
上記目的を達成するために、請求項１に係る発明による媒体処理装置は、例えば図３に示すように、駆動可能に構成される第１の駆動ガイド２１１ａ、２１１ｂと、当該第１の駆動ガイド２１１ａ、２１１ｂと対向して配設され、第１の駆動ガイド２１１ａ、２１１ｂの駆動に伴って従動する第１の従動ガイド２１２ａ、２１２ｂとを有し、カード状の媒体２を当該第１の駆動ガイド２１１ａ、２１１ｂと当該第１の従動ガイド２１２ａ、２１２ｂとの間に挟持して搬送する第１の搬送部２１０と；第１の駆動ガイド２１１ａ、２１１ｂと第１の従動ガイド２１２ａ、２１２ｂとの間に配設される分離ガイド３３１ａ、３３１ｂを有し、媒体２を第１の駆動ガイド２１１ａ、２１１ｂから引き離す分離手段３３０とを備え；第１の従動ガイド２１２ａ、２１２ｂは、媒体２が第１の駆動ガイド２１１ａ、２１１ｂから引き離される際に、従動が停止し、分離手段３３０は、媒体２が第１の駆動ガイド２１１ａ、２１１ｂから引き離される際に、媒体２を第１の従動ガイド２１２ａ、２１２ｂと分離ガイド３３１ａ、３３１ｂとの間に保留することができるように構成される。
【０００６】
このように構成すると、第１の搬送部は、第１の駆動ガイドと第１の従動ガイドとの間にカード状の媒体を挟持して搬送し、分離手段は、媒体を第１の駆動ガイドから引き離す。さらに、媒体が第１の駆動ガイドから引き離される際に、第１の従動ガイドの従動は停止し、分離手段は媒体を第１の従動ガイドと分離ガイドとの間に保留する。従って、駆動ガイドの駆動状況にかかわらずカード状の媒体を容易に一時的に保留することができる媒体処理装置を提供することができる。
【０００７】
また請求項２に記載のように、請求項１に記載の媒体処理装置では、例えば図３に示すように、第１の駆動ガイド２１１ａ、２１１ｂを駆動する駆動手段２８１（例えば、図１参照）と；駆動手段２８１（例えば、図１参照）で駆動される第２の駆動ガイド２２２を有する第２の搬送部２２０とを備えるように構成してもよい。
【０００８】
このように構成すると、第２の搬送部の第２の駆動ガイドは、第１の駆動ガイドと共通の駆動手段によって駆動されるので媒体処理装置を小型化することができる。さらに、分離手段で保留される媒体は、第１の駆動ガイドから引き離されて保留されるので、分離手段で媒体を保留しながら、第２の搬送部の第２の駆動ガイドの駆動を継続することができる。
【０００９】
また請求項３に記載のように、請求項１又は請求項２に記載の媒体処理装置では、例えば図３に示すように、第１の搬送部２１０に沿うように配設され、媒体２に処理を施す処理部７０（例えば、図１参照）を備え；第１の駆動ガイド２１１ａ、２１１ｂ又は第１の従動ガイド２１２ａ、２１２ｂは、略円筒状に形成された回転ローラであるように構成してもよい。
【００１０】
このように構成すると、第１の駆動ガイド又は第１の従動ガイドが、略円筒状に形成された回転ローラであるので、第１の搬送部に沿うように配設される処理部は、第１の駆動ガイド又は第１の従動ガイドに邪魔されることなく媒体に処理を施すことができる。
【発明の効果】
【００１１】
以上のように本発明によれば、駆動可能に構成される第１の駆動ガイドと、当該第１の駆動ガイドと対向して配設され、第１の駆動ガイドの駆動に伴って従動する第１の従動ガイドとを有し、カード状の媒体を当該第１の駆動ガイドと当該第１の従動ガイドとの間に挟持して搬送する第１の搬送部と、第１の駆動ガイドと第１の従動ガイドとの間に配設される分離ガイドを有し、媒体を第１の駆動ガイドから引き離す分離手段とを備え、第１の従動ガイドは、媒体が第１の駆動ガイドから引き離される際に、従動が停止し、分離手段は、媒体が第１の駆動ガイドから引き離される際に、媒体を第１の従動ガイドと分離ガイドとの間に保留することができるように構成されるので、駆動ガイドの駆動状況にかかわらずカード状の媒体を容易に一時的に保留することができる媒体処理装置を提供することができる。
【発明を実施するための最良の形態】
【００１２】
以下、本発明の実施の形態について、図１又は図４を参照して説明する。なお、各図において互いに同一あるいは相当する部材には同一符号を付し、重複した説明は省略する。
【００１３】
図１は、本発明の実施の形態に係る媒体処理装置としてのカード処理装置１の構成例を示す模式的断面図である。カード処理装置１は、取引装置、例えば駅に設置される自動精算機（自動券売機を含む）に内蔵され、カード状の媒体を処理する装置である。このような自動精算機は、乗車券等を精算するものである。なお、自動精算機は、本実施の形態に係るカード処理装置１、硬貨を処理する硬貨処理装置（不図示）、紙幣を処理する紙幣処理装置（不図示）、券類を発券する発券装置（不図示）等を備え、さらに利用者の操作を受け付ける接客部（不図示）を備える。カード処理装置１は、自動精算機に内蔵される際には、例えば利用者が、自動精算機の正面に形成された接客部（不図示）から、後述の挿入部２０にカード状の媒体を挿入できる位置に内蔵される。なお、本図中太線はカード状の媒体の搬送経路を示している。
【００１４】
ここでカード状の媒体は、例えば、メダルや硬貨等の略円形状の媒体とは異なる略四角形状の媒体であり、典型的には、略長方形板状の媒体である。カード状の媒体は、弾性を有する軟らかい媒体でもよいし、剛性を有する硬い媒体でもよい。カード状の媒体には、例えば、乗車券や回数券等のエドモンソン券、大型券、定期券やプリペードカード等のＰＥＴ券、ＩＣカードがある。
【００１５】
エドモンソン券の寸法は、縦５７．５ｍｍ、横３０ｍｍ、厚さ０．１９ｍｍ程度である。大型券の寸法は、縦８５ｍｍ、横５７．５ｍｍ、厚さ０．１９ｍｍ程度である。ＰＥＴ券の寸法は、縦８５ｍｍ、横５７．５ｍｍ、厚さ０．２２ｍｍである。ＩＣカードの寸法は、縦８５．６ｍｍ，横５３．９８ｍｍ、厚さ０．７６ｍｍ程度である。
【００１６】
エドモンソン券、大型券は、紙状のカード媒体であり、表面が感熱紙になっており、サーマルヘッド（不図示）により、表面に印刷情報を印刷できるものである。また、エドモンソン券、大型券は、裏面に磁気情報の書き込みが可能な媒体である。ＰＥＴ券は、プラスティックのカード媒体であり、例えば、定期券や裏面に磁気記録層が形成され、さらに磁気記録層の上に感熱紙層が形成されたいわゆるプリペイドカードである。プリペイドカードは、その裏面に磁気ヘッド（不図示）によりカードの情報としての磁気情報が記録でき、さらにサーマルヘッド（不図示）により印字可能な媒体である。ＩＣカードは、剛性を有するカード媒体であり、内部にＣＰＵやＲＡＭ、ＲＯＭ等のメモリが格納されており、当該メモリにカード情報を記憶している。ＩＣカードは、カード情報の書換えを電磁波を用いて行うことが可能であるため、非接触式カードと呼ばれている。なお、ＩＣカードは、規格としてＩＳＯ１４４４３（ＪＩＳ  Ｘ６３２２）が定められている。
【００１７】
本実施の形態では、カード状の媒体にはエドモンソン券、大型券、ＰＥＴ券、ＩＣカードがあるものとして説明する。なお、以下の説明では、エドモンソン券、大型券、ＰＥＴ券、ＩＣカードを特に分けて説明する必要のない場合には、これらをまとめて単にカード２という。
【００１８】
また、カード処理装置１は、例えば利用者により挿入されるカード２の受付処理、利用者の購入操作等によるカード２の残金の更新を行なうカードの更新処理が行なえるものである。また、カード処理装置１は、カード２の受付処理で、カード２を１枚ずつ挿入することで、エドモンソン券、大型券合わせて最大３枚、ＰＥＴ券は最大４枚、ＩＣカードは最大２枚まで受付可能である。エドモンソン券、大型券、ＰＥＴ券が組み合わせて挿入された場合は、エドモンソン券、大型券、ＰＥＴ券合わせて最大５枚、かつ５枚の内エドモンソン券、大型券が最大３枚又はＰＥＴ券が最大３枚まで受付可能である。
【００１９】
カード処理装置１は、利用者からのカード２の挿入を受け付け、また処理されたカード２の返却を行う挿入部２０と、挿入部２０から挿入されたカード２を整列させる整列部３０と、挿入されたカード２の磁気情報に関する各種処理を行うエンコード部５０と、カード２、ここではプリペードカードの利用目安となる位置に穴を開ける処理を行うカードパンチ部６０と、カード２に利用情報の印字を行う印字部７０と、カード２、ここではエドモンソン券である回数券が再度使用できないように穴を開ける処理を行う回数券パンチ部８０と、廃券処理したエドモンソン券、大型券を回収・保管する廃券回収部９０と、挿入されたＩＣカードのメモリに記憶されているカード情報の読み込み、書き込み等のカード情報に関する各種処理を行うアンテナ部１１０とを備える。
【００２０】
カード処理装置１は、さらに処理の終わったＰＥＴ券、ＩＣカードをストッパー部１３０と協動して集積する集積部１４０と、挿入部２０で取り忘れられたカード２を回収・保管する取忘回収部１５０と、挿入部２０より受け付けたカード２をカード処理装置１内の各部に搬送する搬送装置２００と、搬送装置２００により搬送されるカード２を保留する保留部３００と、上記各構成を制御し、カード処理装置１の全体を制御する制御部１６０とを備えている。なおここでは、搬送装置２００は、その搬送経路を図中太線で示している。
以下、上記各構成について詳細に説明する。
【００２１】
まず、搬送装置２００は、複数の搬送ローラ、プーリ、複数の搬送ベルト等を備え、正逆両方向にカード２を搬送するように構成される。搬送装置２００は、第１の搬送部としての第１の搬送路２１０、第２の搬送部としての第２の搬送路２２０を含んで構成される。さらに、本実施の形態では、搬送装置２００は、第３の搬送路２３０、第４の搬送路２４０、第５の搬送路２５０、第６の搬送路２６０、第７の搬送路２７０を含んで構成されている。また、搬送装置２００には、複数の保留部３００が配設されている。
【００２２】
まず、第３の搬送路２３０は、挿入部２０のカード２が挿入される側とは反対側に、カード２の搬送方向が略水平となるように配設されている。第３の搬送路２３０は、挿入部２０に挿入されたカード２を、挿入部２０とは反対側に配設される第２の搬送路２２０又は第４の搬送路２４０に搬送するように構成される。さらに、第３の搬送路２３０は、第２の搬送路２２０又は第４の搬送路２４０より搬送されるカード２を受け取り、挿入部２０へ搬送するものでもある。
【００２３】
第２の搬送路２２０は、第３の搬送路２３０による搬送方向と交差する方向、典型的には、第３の搬送路２３０に対して傾斜を有した方向であり、さらに詳細には第３の搬送路２３０に対して鉛直上方向で挿入部２０から離れる方向にカード２を搬送するように構成される。第２の搬送路２２０は、第３の搬送路２３０によって搬送されるカード２を受け取り、第３の搬送路２３０とは反対側に配設される第１の搬送路２１０又は第６の搬送路２６０に搬送するように構成される。さらに、第２の搬送路２２０は、第１の搬送路２１０又は第６の搬送路２６０より搬送されるカード２を受け取り、第３の搬送路２３０へ搬送するものでもある。なお、第２の搬送路２２０には、後述するエンコード部５０が配設されている。
【００２４】
第１の搬送路２１０は、第２の搬送路２２０による搬送方向に対して略平行な方向、典型的には、第２の搬送路２２０による搬送方向と略一直線になる方向にカード２を搬送するように構成される。第１の搬送路２１０は、後述するように他の搬送路とは異なった構成となっている。第１の搬送路２１０は、第２の搬送路２２０によって搬送されるカード２を受け取り、第２の搬送路２２０とは反対側に配設される第５の搬送路２５０に搬送するように構成される。さらに、第１の搬送路２１０は、第５の搬送路２５０より搬送されるカード２を受け取り、第２の搬送路２２０へ搬送するものでもある。なお、第１の搬送路２１０には、第２の搬送路２２０側から順に後述するカードパンチ部６０、印字部７０が配設されている。
【００２５】
第４の搬送路２４０は、第３の搬送路２３０による搬送方向に対して略平行な方向、典型的には、第３の搬送路２３０による搬送方向と略一直線になる方向にカード２を搬送するように構成される。第４の搬送路２４０は、第３の搬送路２３０によって搬送されるカード２を受け取り、第３の搬送路２３０とは反対側に配設される後述の第９の保留部３９０に搬送するように構成される。なお、第４の搬送路２４０には、第３の搬送路２３０と第９の保留部３９０との間に後述するアンテナ部１１０が配設されている。さらに、第４の搬送路２４０は、アンテナ部１１０により処理されたカード２を第３の搬送路２３０へ搬送するものでもある。
【００２６】
第５の搬送路２５０は、第１の搬送路２１０による搬送方向と交差する方向、典型的には、搬送方向が略水平方向で挿入部２０から離れる方向にカード２を搬送するように構成される。第５の搬送路２５０は、第１の搬送路２１０によって搬送されるカード２を受け取り、第１の搬送路２１０とは反対側に配設される後述の第１の保留部３１０に搬送するように構成される。さらに、第５の搬送路２５０は、第１の保留部３１０により保留されたカード２を第１の搬送路２１０へ搬送するものでもある。
【００２７】
第６の搬送路２６０は、第２の搬送路２２０による搬送方向と交差する方向で挿入部２０から離れる方向にカード２を搬送するように構成される。第６の搬送路２６０は、複数の折れ曲がりを有しており、第２の搬送路２２０によって搬送されるカード２を受け取り、第２の搬送路２２０とは反対側に配設され、典型的には挿入部２０を正面とするとカード処理装置１内の背面側に配設される後述の廃券回収部９０に搬送するように構成される。さらに、第６の搬送路２６０は、例えば、後述の第４の保留部３４０に保留されるカード２を第２の搬送路２２０又は次に説明する第７の搬送路２７０に搬送するものでもある。
【００２８】
第７の搬送路２７０は、第６の搬送路２６０の中間から分岐するように配設され、第６の搬送路２６０による搬送方向と交差する方向、典型的には、第６の搬送路２６０に対して傾斜を有した方向であり、さらに詳細には第６の搬送路２６０に対して鉛直下方向で挿入部２０に近づく方向にカード２を搬送するように構成される。第７の搬送路２７０は、第６の搬送路２６０によって搬送されるカード２を受け取り、第６の搬送路２６０とは反対側に配設される後述の第７の保留部３７０に搬送するように構成される。さらに、第７の搬送路２７０は、第７の保留部３７０により保留されたカード２を第６の搬送路２６０へ搬送するものでもある。なお、第７の搬送路２７０には、第６の搬送路２６０と第７の保留部３７０との間、より具体的には後述の第３の振分部４３と第７の保留部３７０との間に後述する回数券パンチ部８０が配設されている。
【００２９】
さらに言えば、第１の搬送路２１０、第２の搬送路２２０は共通の駆動機２８１（例えばステッピングモータ）、第３の搬送路２３０は駆動機２８３、第４の搬送路２４０は駆動機２８４、第５の搬送路２５０は駆動機２８５、第６の搬送路２６０は駆動機２８６、第７の搬送路２７０は駆動機２８７によって駆動することでカード２を搬送するように構成される。
【００３０】
搬送装置２００に配設される保留部３００は、搬送装置２００の搬送経路上にあるカード２を一時保留するものである。保留部３００は、カード２の保留状態を、外から目視可能な構成となっている。また、挿入部２０よりカード２が複数枚挿入されたときの退避エリアでもある。本実施の形態では、保留部３００は、第５の搬送路２５０の搬送経路上の第１の搬送路２１０とは反対側に配設される第１の保留部３１０、第５の搬送路２５０の搬送経路上の第１の搬送路２１０と第１の保留部３１０との間に配設される第２の保留部３２０、第１の搬送路２１０の搬送経路上の印字部７０と第５の搬送路２５０との間に配設される第３の保留部３３０、第６の搬送路２６０の搬送経路上、廃券回収部９０と第３の振分部４３との間の略垂直な部分に配設される第４の保留部３４０、第６の搬送路２６０の搬送経路上の第３の振分部４３近傍に配設される第５の保留部３５０、第７の搬送路２７０の搬送経路上の第３の振分部４３と回数券パンチ部８０との間に配設される第６の保留部３６０、第７の搬送路２７０の搬送経路上の第６の搬送路２６０とは反対側に配設される第７の保留部３７０、第４の搬送路２４０の搬送経路上のアンテナ部が設置されている部分に配設される第８の保留部３８０、第４の搬送路２４０の搬送経路上の第３の搬送路２３０とは反対側に配設される第９の保留部３９０を含んで構成される。なお、これらの保留部を特に分けて説明する必要のない場合には単に保留部３００という。
【００３１】
典型的には、第１の保留部３１０、第２の保留部３２０、第３の保留部３３０は、ＰＥＴ券を保留し、第４の保留部３４０、第５の保留部３５０、第６の保留部３６０、第７の保留部３７０は、エドモンソン券、大型券を保留し、第８の保留部３８０、第９の保留部３９０は、ＩＣカードを保留する。また、複数のＰＥＴ券が挿入された際には、１枚目は第１の保留部３１０、２枚目は第２の保留部３２０、３枚目のは第３の保留部３３０というように順に保留される。複数のエドモンソン券、大型券が挿入された際には、１枚目は第４の保留部３４０、２枚目は第５の保留部３５０に保留され、３枚目が挿入されると、第５の保留部３５０に保留されている２枚目のエドモンソン券又は大型券が第６の保留部３６０に搬送、保留され、第５の保留部３５０に３枚目のエドモンソン券又は大型券が保留される。また、第７の保留部３７０には、１枚目に乗車券、２枚目に第１の回数券が挿入され、さらに３枚目に第２の回数券が挿入された際に、第１の回数券が一時的に保留される。また、複数のＩＣカードが挿入された際には、１枚目は第８の保留部３８０に保留され、２枚目が挿入されると、第８の保留部３８０に保留されている１枚目のＩＣカードが第９の保留部３９０に搬送、保留され、第８の保留部３８０に２枚目のＩＣカードが保留される。なお、第５の保留部３５０には、ＰＥＴ券が連続して４枚挿入された際に４枚目のＰＥＴ券が保留されることがある。
【００３２】
図２は、本発明の実施の形態に係るカード処理装置１の第５の搬送路２５０、第１の保留部３１０、第２の保留部３２０を示す図であり、（ａ）は平面図、（ｂ）、（ｃ）は側面図である。図２（ａ）に示すように、第５の搬送路２５０は、カード２を案内する上搬送ベルト２５１と、上搬送ベルト２５１に対向する下搬送ベルト２５２とを有し、カード２を上搬送ベルト２５１と下搬送ベルト２５２との間に挟持して搬送するように構成される。上搬送ベルト２５１は、搬送方向に対して水平方向に並べられる複数のプーリ２５１ａに張架され、下搬送ベルト２５２は、同じく搬送方向に対して水平方向に並べられる複数のプーリ２５２ａに張架される。本実施の形態では、下搬送ベルト２５２のプーリ２５２ａは、不図示のベルト等を介して駆動機２８５（図１参照）から駆動力が伝達されて回転駆動するように構成されており、上搬送ベルト２５１は、下搬送ベルト２５２の駆動に従って従動する。
【００３３】
第５の搬送路２５０には、ストッパー３１１が配設されている。ストッパー３１１は、図２（ｂ）に示すように、略Ｌ字型の短辺が第５の搬送路２５０のカード２を挟持する面と略垂直に交わるように配設される。さらに、ストッパー３１１の略Ｌ字型の短辺と反対側には、ローラ３１２が配設されている。また、ストッパー３１１には回動部材３１３が取り付けられており、当該回動部材３１３は、不図示のストッパー駆動手段（例えば、ソレノイド）に接続されている。ストッパー３１１は、ストッパー駆動手段の駆動により略Ｌ字型の短辺が略円弧状に軌跡を描くように鉛直方向上下に移動する。ストッパー駆動手段の駆動は、制御部１６０（図１参照）によって制御される。第５の搬送路２５０上のストッパー３１１の略Ｌ字型の短辺を境界として第１の搬送路２１０側、すなわち上流側（図中左側）の部分が第２の保留部３２０、下流側（図中右側）の部分が第１の保留部３１０である。
【００３４】
ストッパー３１１は、図２（ｃ）に示すように、通常では略Ｌ字型の短辺の先端が第５の搬送路２５０のカード２を挟持する面よりも下方に退避しており、このときローラ３１２は、下搬送ベルト２５２のカード２を挟持する面の裏側に当接して、下搬送ベルト２５２を上搬送ベルト２５１に付勢している。したがって、上搬送ベルト２５１と下搬送ベルト２５２とがカード２を挟持する力（すなわちグリップ力）は充分となる。ストッパー３１１は、第１の保留部３１０、第２の保留部３２０にＰＥＴ券を一時的に保留する際、典型的には、下流方向に移動する１枚目のカード２が略Ｌ字型の短辺を通過した際に、図２（ｂ）に示すように、ストッパー駆動手段の駆動により略Ｌ字型の短辺の先端が搬送経路の上側に突出する。このとき、ローラ３１２は、下方に移動し、上搬送ベルト２５１と下搬送ベルト２５２とのグリップ力が減少する。ストッパー３１１の下流方向には、カード処理装置１の筐体を形成する壁３１４（図１参照）が存在するので、カード２は当該壁３１４に当接し、第１の保留部３１０に保留される。また前記グリップ力も減少しており、カード２は上搬送ベルト２５１と下搬送ベルト２５２との間で摺動するため、折れ曲がったりすることはない。２枚目のカード２が、第５の搬送路２５０に搬送されてくると、カード２は搬送経路の上側に突出しているストッパー３１１の略Ｌ字型の短辺の先端に当接し、これ以上奥には搬送されず、第２の保留部３２０に保留される。第１の保留部３１０、第２の保留部３２０は以上のように構成することで、第５の搬送路２５０上に２枚のカード２を保留することができる。言い換えれば、第５の搬送路２５０の駆動を停止せずに、第５の搬送路２５０上に１枚のカード２を保留しながら、別のカード２を第５の搬送路２５０によって搬送し、さらに保留することができる。
【００３５】
図３は、本発明の実施の形態に係るカード処理装置１の第１の搬送路２１０、第３の保留部３３０を示す正面図であり、（ａ）は第３の保留部３３０がカード２を保留していない状態、（ｂ）は第３の保留部３３０がカード２を保留している状態を示す図である。
さらに図４は、本発明の実施の形態に係るカード処理装置１の第１の搬送路２１０、第３の保留部３３０を示す図であり、（ａ）は図３（ｂ）の矢印Ａに示す矢視図、（ｂ）は図４（ａ）のｂ−ｂで示す断面図である。なお、本図では、第１の搬送路２１０の上流側に配設される第２の搬送路２２０も部分的に図示しているが、分かり易くするため、便宜上、第１の搬送路２１０と第２の搬送路２２０との間に配設される要素（例えば、第２の振分部４２等）については図示を省略している。
以下、図３、図４を参照して第１の搬送路２１０、第３の保留部３３０について説明する。なお、図３では後述する側壁２１３ａ、２１３ｂの図示は省略してある。
【００３６】
図３（ａ）、（ｂ）に示すように、第１の搬送路２１０は、駆動可能に構成される第１の駆動ガイドとしての駆動ローラ２１１ａと、駆動ローラ２１１ａと対向して配設され、駆動ローラ２１１ａの駆動に伴って従動する第１の従動ガイドとしての従動ローラ２１２ａを含んで構成される。本実施の形態では、第１の搬送路２１０は、同様にもう一組の駆動ローラ２１１ｂ、従動ローラ２１２ｂも備えている。駆動ローラ２１１ａ、２１１ｂと従動ローラ２１２ａ、２１２ｂは、ともに略円筒状に形成され、径方向の中心を回転軸線として回転する回転ローラである。なお、ここで、略円筒状とは、外周が曲面状（断面が略円状）となっているものを広く含み、例えば略円柱状も含む。駆動ローラ２１１ａと駆動ローラ２１１ｂとは、搬送方向に対して回転軸線が垂直となり、搬送方向に沿って並べて配設される。なお、ここでは、駆動ローラ２１１ａが上流側、すなわち第２の搬送路２２０側となるように配設されている。従動ローラ２１２ａと従動ローラ２１２ｂも、同様に、搬送方向に対して回転軸線が垂直となり、搬送方向に沿って並べて配設される。また、駆動ローラ２１１ａ、２１１ｂと従動ローラ２１２ａ、２１２ｂは、それぞれ搬送方向に対して垂直な方向に対向するように配設される。第１の搬送路２１０は、駆動ローラ２１１ａと従動ローラ２１２ａ、駆動ローラ２１１ｂと従動ローラ２１２ｂによりカード２を挟持して搬送するものである。
【００３７】
図４（ａ）に示すように、第１の搬送路２１０は、搬送方向に沿って駆動ローラ２１１ａ等の回転軸線に対して垂直に形成された側壁２１３ａ、２１３ｂを備えている。側壁２１３ａと側壁２１３ｂとは、駆動ローラ２１１ａ等の回転軸線と平行な方向にカード２の横幅、典型的にはＰＥＴ券の横幅（５７．５ｍｍ程度）よりも若干広い間隔を開けて配設される。側壁２１３ａ、２１３ｂは、駆動ローラ２１１ａと従動ローラ２１２ａ、駆動ローラ２１１ｂと従動ローラ２１２ｂにより挟持して搬送されるカード２が脱線していかないように搬送を補助するものである。
【００３８】
図４（ｂ）に示すように、駆動ローラ２１１ａは、略円筒状に形成されるシャフト２１４ａに径方向が一致するように取り付けられている。シャフト２１４ａは、側壁２１３ａ側から側壁２１３ａを貫通して一端が側壁２１３ｂに回転可能に支持される。シャフト２１４ａのもう一方の端部（側壁２１３ａ側の端部）には、プーリ２１５ａが取り付けられている。同様に駆動ローラ２１１ｂは、シャフト２１４ｂに取り付けられており、シャフト２１４ｂの側壁２１３ａ側の端部には、プーリ２１５ｂが取り付けられている。プーリ２１５ａ、２１５ｂは、不図示のベルト等を介して駆動ローラ２１１ａ、２１１ｂを駆動する駆動手段としての駆動機２８１（図１参照）から駆動力が伝達されて回転駆動するように構成されており、これにより、シャフト２１４ａ、２１４ｂ、駆動ローラ２１１ａ、２１１ｂが回転駆動するように構成される。
【００３９】
図３（ａ）、（ｂ）に示すように、従動ローラ２１２ａ、２１２ｂは、５０Ｎ程度の力で駆動ローラ２１１ａ、２１１ｂ方向に付勢されて取り付けられている。具体的には、従動ローラ２１２ａは、側壁２１３ａ（図４参照）側の端部を略Ｖ字型に形成された支持部材２１６ａの略Ｖ字型の一端に回転可能に支持されている。支持部材２１６ａの略Ｖ字型の角の部分には略円筒状に形成された回転軸２１７ａが支持部材２１６ａに対して垂直となるように取り付けられている。回転軸２１７ａは、側壁２１３ａ（図４参照）に回転可能に取り付けられており、これにより、支持部材２１６ａは、回転軸２１７ａを回転中心として回動可能に構成される。また、支持部材２１６ａの略Ｖ字型のもう一方の端にはバネ２１８ａが取り付けられており、バネ２１８ａのもう一方の端部は不図示のピン等により側壁２１３ａ（図４参照）に固定されている。バネ２１８ａは当該支持部材２１６ａの一方の端を従動ローラ２１２ａ側に引き寄せる方向に付勢している。これにより、支持部材２１６ａは、回転軸２１７ａを回転中心として図中反時計回りに回転するように付勢され、従動ローラ２１２ａは駆動ローラ２１１ａ方向に付勢される。従動ローラ２１２ｂも、同様に、支持部材２１６ｂに回転可能に支持されている。支持部材２１６ｂは、回転軸２１７ｂを介して側壁２１３ａ（図４参照）に取り付けられ、バネ２１８ｂによって付勢されており、これにより従動ローラ２１２ｂも駆動ローラ２１１ｂ方向に付勢される。なお、支持部材２１６ｂは、支持部材２１６ａと比較して略Ｖ字型の角の部分が突起しており、本図中では略Ｔ字型に近い形状に図示しているが機能的には支持部材２１６ａとほぼ同様である。
【００４０】
続けて図３、図４を参照して第３の保留部３３０について説明する。図３（ａ）、（ｂ）に示すように、第３の保留部３３０は、駆動ローラ２１１ａ、２１１ｂと従動ローラ２１２ａ、２１２ｂとの間に配設される分離ガイドとしての２つの保留板３３１ａ、３３１ｂを有し、カード２を駆動ローラ２１１ａ、２１１ｂから引き離す分離手段である。第３の保留部３３０は、さらに制御部１６０（図１参照）によって制御されるソレノイド３３２を備えている。
【００４１】
図３（ａ）、（ｂ）に示すように、２つの保留板３３１ａ、３３１ｂは、略長方形状の板金等の両先端部を３０度程度に曲げ加工されて形成される。２つの保留板３３１ａ、３３１ｂは、上述したように駆動ローラ２１１ａ、２１１ｂと従動ローラ２１２ａ、２１２ｂとの間に、従動ローラ２１２ａ、２１２ｂと接するように配設される。さらに２つの保留板３３１ａ、３３１ｂは、折れ曲がった先端が駆動ローラ２１１ａ、２１１ｂ側を向くように配設される。また、保留板３３１ａと保留板３３１ｂとは、搬送方向に対して垂直な方向に駆動ローラ２１１ａ、２１１ｂが露出する程度に間隔を開けて、側壁２１３ａ側に保留板３３１ａ、側壁２１３ｂ側に保留板３３１ｂとなるように配設されている（図４（ｂ）参照）。例えば、第２の搬送路２２０から搬送されてくるカード２は、従動ローラ２１２ａ、２１２ｂと２つの保留板３３１ａ、３３１ｂとの間に導入される。なお、保留板３３１ａ、３３１ｂの先端が駆動ローラ２１１ａ、２１１ｂ側に曲がっていることでカード２を従動ローラ２１２ａ、２１２ｂと２つの保留板３３１ａ、３３１ｂとの間に導入しやすい構成となっている。
【００４２】
図３（ａ）、（ｂ）に示すように、２つの保留板３３１ａ、３３１ｂの駆動ローラ２１１ａ、２１１ｂ側の面には、板金等を略Ｌ字型に曲げ加工して形成される保留板支持部材３３３が取り付けられている。保留板支持部材３３３の保留板３３１ａ、３３１ｂに対して略垂直の面は、当該面の２辺を保留板支持部材３３４ａ、３３４ｂによって支持されている（図４（ａ）も参照）。さらに、保留板支持部材３３４ａと保留板支持部材３３４ｂとの間には略円筒状に形成された２つのピン３３５ａ、３３５ｂが、保留板支持部材３３４ａ、３３４ｂに対して略垂直になるように取り付けられている（図４（ａ）も参照）。ピン３３５ａ、３３５ｂは、それぞれ両端部が保留板支持部材３３４ａ、３３４ｂを貫通しており、当該両端部を各々略コの字型に形成された保留板支持部材３３６ａ、３３６ｂにより回転可能に支持されている（図４（ｂ）も参照）。さらに、保留板支持部材３３６ａ、３３６ｂには、ピン３３５ａ、３３５ｂが貫通している面を、同様に貫通するピン３３７ａ、３３７ｂが配設されている。保留板支持部材３３６ａ、３３６ｂは、ピン３３７ａ、３３７ｂを中心に回転可能に支持されている。ただし、ピン３３７ａ、３３７ｂは、側壁２１３ａに固定的に取り付けられている点で、ピン３３５ａ、３３５ｂと異なる。なお、ピン３３５ａのほぼ中央には、後述するブラケット３３２ａの当接面３３２ｃと当接する転がりベアリング３３９が取り付けられている。
【００４３】
さらに、図３（ａ）、（ｂ）に示すように、保留板支持部材３３６ｂの側壁２１３ａ（図４参照）側の面には、ピン３３８ａが固定的に取り付けられており、ピン３３８ａにはバネ３３８ｂが取り付けられている。バネ３３８ｂのもう一方の端部は不図示のピン等により側壁２１３ａ（図４参照）に固定されている。バネ３３８ｂは保留板支持部材３３６ｂを駆動ローラ２１１ａ、２１１ｂから離れる方向に付勢している。これにより、保留板支持部材３３６ｂに連結されている保留板支持部材３３３、３３４ａ、３３４ｂ、３３６ａも駆動ローラ２１１ａ、２１１ｂから離れる方向に付勢され、保留板３３１ａ、３３１ｂは駆動ローラ２１１ａ、２１１ｂに向かって付勢される。
【００４４】
また、図４（ａ）に示すように、ソレノイド３３２は、ソレノイド３３２と駆動ローラ２１１ａ、２１１ｂとの間に従動ローラ２１２ａ、２１２ｂが位置するように、側壁２１３ａに配設されている。ソレノイド３３２には、略長方形の棒状の板金等を略Ｌ字型に曲げ加工して形成されたブラケット３３２ａが接続されている。ブラケット３３２ａは、略Ｌ字型の短辺が側壁２１３ａと略垂直になるように配設される。また、ブラケット３３２ａは、略Ｌ字型の短辺のソレノイド３３２側の当接面３３２ｃが転がりベアリング３３９と若干の隙間を開けて対向するように配設される。より具体的には、ブラケット３３２ａには、長穴状のスリット３３２ａ’が形成されている（図３（ａ）、（ｂ）も参照）。ブラケット３３２ａは、２つのビス３３２ｂが当該スリット３３２ａ’にワッシャー等を介して挿入されるようにして側壁２１３ａに取り付けられる。２つのビス３３２ｂは、従動ローラ２１２ａ、２１２ｂが付勢されている方向（図４（ａ）に示すＭ方向）に並んでおり、これにより、ブラケット３３２ａは、ソレノイド３３２の駆動に伴って、スリット３３２ａ’の大きさの範囲で、Ｍ方向にスライドするように構成される。なお、本実施の形態では、ブラケット３３２ａは、側壁２１３ａを挟んで第１の搬送路２１０等が配設されている空間とは反対側の空間に配設されているが、側壁２１３ａのブラケット３３２ａに対応する部分にスリット２１３ａ’が形成されているので、ブラケット３３２ａのスライドを妨害することはない。
【００４５】
図３（ａ）は、ブラケット３３２ａの先端がソレノイド３３２から最も離れた位置にスライドした状態を示している。この場合、ブラケット３３２ａの当接面３３２ｃは、転がりベアリング３３９と当接せず、従って上述したように、保留板支持部材３３３、３３４ａ、３３４ｂ、３３６ａ、３３６ｂは、バネ３３８ｂによって駆動ローラ２１１ａ、２１１ｂから離れる方向に付勢されており、保留板３３１ａ、３３１ｂは駆動ローラ２１１ａ、２１１ｂに向かって付勢されるている。従動ローラ２１２ａ、２１２ｂ、保留板３３１ａ、３３１ｂが、駆動ローラ２１１ａ、２１１ｂに向かって付勢されていることで、従動ローラ２１２ａ、２１２ｂと２つの保留板３３１ａ、３３１ｂとの間に導入されるカード２は、従動ローラ２１２ａ、２１２ｂと駆動ローラ２１１ａ、２１１ｂとによって挟持され搬送される。
【００４６】
図３（ｂ）は、ブラケット３３２ａの先端がソレノイド３３２から最も近づいた位置にスライドした状態を示している。この場合、ブラケット３３２ａの当接面３３２ｃは、転がりベアリング３３９と当接する。転がりベアリング３３９は、当接面３３２ｃとともにソレノイド３３２側に引き寄せられる。従って、転がりベアリング３３９が取り付けられているピン３３５ａ、ピン３３５ａに連結されている保留板支持部材３３３、３３４ａ、３３４ｂ、３３６ａ、３３６ｂ等も、バネ３３８ｂによる付勢力をキャンセルさせながら、さらにソレノイド３３２側に引き寄せられ、保留板３３１ａ、３３１ｂも駆動ローラ２１１ａ、２１１ｂから引き離される。従動ローラ２１２ａ、２１２ｂは、駆動ローラ２１１ａ、２１１ｂに向かって付勢されているものの、保留板３３１ａ、３３１ｂとともに駆動ローラ２１１ａ、２１１ｂから引き離されることで、従動が停止する。さらに、従動ローラ２１２ａ、２１２ｂと保留板３３１ａ、３３１ｂとの間に導入されるカード２も、駆動ローラ２１１ａ、２１１ｂから引き離される。したがって、カード２は駆動を続ける駆動ローラ２１１ａ、２１１ｂによって搬送されずに、従動ローラ２１２ａ、２１２ｂと保留板３３１ａ、３３１ｂとの間に挟持されたまま保留される。
【００４７】
ソレノイド３３２は、汎用形ソレノイドに永久磁石を内蔵させた自己保持型ソレノイドであり、無通電状態でも永久磁石の磁力による吸着保持力が得られるため、第３の保留部３３０でのカード２の長時間の連続保留が可能である。ソレノイド３３２は、配線を介して制御部１６０に接続されており、制御部１６０により制御される。ソレノイド３３２は、典型的には、カード検知器２０ｂによって複数のＰＥＴ券が挿入されたと検出された際に、制御部１６０から第３の保留部３３０でカード２を保留する旨の信号を受信し、非通電時状態から、通電状態に移行する。
【００４８】
なお、本実施の形態に係るカード処理装置１（図１参照）の搬送装置２００（図１参照）では、図３、図４で説明した第１の搬送路２１０以外の第２の搬送路２２０、第３の搬送路２３０、第４の搬送路２４０、第６の搬送路２６０、第７の搬送路２７０は、上述した第５の搬送路２５０とほぼ同様な構成であり、搬送ベルトによってカード２を挟持して搬送するように構成される。
【００４９】
例えば、第２の搬送路２２０は、図３に示すように、図２で上述した第５の搬送路２５０と同様に、駆動可能に構成された第２の駆動ガイドとしての下搬送ベルト２２２を備える。ただし、第２の搬送路２１０は、下搬送ベルト２２２に対向して配設される上搬送ベルト２２１が駆動可能に構成される第３の駆動ガイドであり、カード２は第２の駆動ガイドとしての下搬送ベルト２２２と当該第３の駆動ガイドとしての上搬送ベルト２２１との間に挟持されて搬送される点で第５の搬送路２５０（図２参照）とは異なる。すなわち、第５の搬送路２５０（図２参照）では、下搬送ベルト２５２（図２参照）は駆動ガイド、上搬送ベルト２５１（図２参照）は従動ガイドであるのに対して、第２の搬送路２２０では、下搬送ベルト２２２、上搬送ベルト２２１とも駆動可能に構成される駆動ガイドである。このように構成することで、第２の搬送路２１０は、ベルトを用いた簡易な構成の搬送路でありながら、下搬送ベルト２２２と上搬送ベルト２２１との間でカード２を挟持する力（グリップ力）が安定するので、ある程度精度よくカード２を搬送することができる。従って、後述するエンコード部５０によるカード２の処理がしやすくなる。
【００５０】
さらに、下搬送ベルト２２２、上搬送ベルト２２１はともに、第１の搬送路２１０の駆動ローラ２１１ａ、２１１ｂを駆動する駆動手段としての駆動機２８１（図１参照）で共通に駆動される。このように構成すると、第２の搬送路２２０の下搬送ベルト２２２、上搬送ベルト２２１はともに、駆動ローラ２１１ａ、２１１ｂと共通の駆動機２８１によって駆動されるので、カード処理装置１を小型化することができる。さらに、上述した第３の保留部３３０で保留されるカード２は、駆動ローラ２１１ａ、２１１ｂから引き離されて保留されるので、第３の保留部３３０でカード２を保留しながら、第２の搬送路２２０の下搬送ベルト２２２、上搬送ベルト２２１の駆動を継続することができ、第２の搬送路２２０でのカード２の搬送を継続することができる。
【００５１】
なお、上搬送ベルト２２１は、搬送方向に対して水平方向に並べられるプーリ２２１ａに張架され、下搬送ベルト２２２は、同じく搬送方向に対して水平方向に並べられるプーリ２２２ａに張架される。下搬送ベルト２２２のプーリ２２２ａは、不図示のベルト等を介して駆動機２８１（図１参照）から駆動力が伝達されて回転駆動するように構成されており、上搬送ベルト２２１のプーリ２２１ａも、同様に不図示のベルト等を介して駆動機２８１（図１参照）から駆動力が伝達されて回転駆動するように構成される。
【００５２】
なおここで、図３、図４で上述した第１の搬送路２１０を他の搬送路とは異なり、搬送ベルト等を用いない構成したのは、例えばカード処理装置１の小型化のためである。例えば、後述するカードパンチ部６０を他の搬送路、典型的には、後述するように第２の搬送路２２０と、第１の搬送路２１０との境界に配置することができるので、各構成を効率良く配置でき、小型化が可能になる。また、第１の搬送路２１０は、駆動ローラ２１１ａ、２１１ｂと従動ローラ２１２ａ、２１２ｂとでカード２を挟持して搬送することで、他の搬送路と比較して、搬送の精度を向上させることができる。さらに、第１の搬送部２１０に沿うように配設され、カード２に処理を施す処理部としての後述する印字部７０のように、カード２に直接接触して各種処理を行うような場合にも、第１の搬送路２１０のような構成であれば、例えば搬送ベルト等に邪魔されずに精度よく印字等ができる。
【００５３】
また、カード２を一時的に保留する保留部を以上で説明した第３の保留部３３０のように構成すると、第１の保留部３１０（図２参照）のように、ストッパー３１１（図２参照）の下流方向に、カード２を保留する際にカード２と当接する壁３１４（図１参照）のようなものを設ける必要がない。すなわち、当該第３の保留部３３０は、例えば、搬送路の端部以外の部分にも比較的小型な構成で設けることができ、汎用性にも優れている。例えば、当該第３の保留部３３０と同様の構成の保留部を搬送路の中央付近に配設することで、カード２を保留しながら、当該搬送路で別のカード２を搬送し続けることが容易にできる。
【００５４】
なお、第４の保留部３４０、第５の保留部３５０、第６の保留部３６０、第７の保留部３７０、第８の保留部３８０、第９の保留部３９０は、上述した第１の保留部３１０、第２の保留部３２０、第３の保留部３３０のいずれかと同様な構成としてもよいし、例えば、各保留部が配設される搬送路を、さらに複数の部分的な搬送路に分割して、分割した搬送路の内の１つの搬送路の駆動源を他の搬送路から独立した駆動源とし、当該搬送路の駆動のみを停止することでカード２を保留するように構成してもよい。ここでは詳細な説明は省略する。
【００５５】
図１に戻って説明を続ける。搬送装置２００は、カード２の搬送経路を切り換え可能な第１の振分部４１、第２の振分部４２、第３の振分部４３を備えている。第１の振分部４１、第２の振分部４２、第３の振分部４３は、それぞれカード２を振り分ける振分爪と、制御部１６０に制御され振分爪を駆動する振分爪駆動手段（例えば、ソレノイド）とを有している。第１の振分部４１は、第３の搬送路２３０と第２の搬送路２２０との間の交差する部分に配設される。また、第１の振分部４１は、第３の搬送路２３０と第４の搬送路２４０との間の部分に配設されるということもできる。すなわち、第１の振分部４１は、第３の搬送路２３０、第２の搬送路２２０、第４の搬送路２４０の間に配設される。第２の振分部４２は、第２の搬送路２２０と第１の搬送路２１０との間の交差する部分に配設される。また、第２の振分部４２は、第２の搬送路２２０と第６の搬送路２６０との間の部分に配設されるということもできる。すなわち、第２の振分部４２は、第２の搬送路２２０、第１の搬送路２１０、第６の搬送路２６０の間に配設される。第３の振分部４３は、第７の搬送路２７０が第６の搬送路２６０から分岐する部分に配設されている。言い換えれば、第３の振分部４３は、第６の搬送路２６０と第７の搬送路２７０との間の部分に配設されている。また、第１の振分部４１、第２の振分部４２、第３の振分部４３は、カード２の種類、あるいは処理の種類に応じて搬送経路を切り換えるように、制御部１６０により動作を制御されている。
【００５６】
第１の振分部４１は、エドモンソン券、大型券、ＰＥＴ券とＩＣカードを振り分けるように構成、制御される。第１の振分部４１は、典型的には、挿入部２０に挿入されたカード２がエドモンソン券、大型券、ＰＥＴ券の場合には、制御部１６０の信号により振分爪が第４の搬送路２４０への進入を遮断するように第４の搬送路２４０側に回動し、カード２を第２の搬送路２２０に搬送可能にする。さらに、第１の振分部４１は、カード２がＩＣカードの場合には、制御部１６０の信号により振分爪が第２の搬送路２２０への進入を遮断するように第２の搬送路２２０側に回動してカード２を第４の搬送路２４０方向に搬送可能にする。なお、エドモンソン券、大型券、ＰＥＴ券を第２の搬送路２２０から第３の搬送路２３０に搬送する際、ＩＣカードを第４の搬送路２４０から第３の搬送路２３０に搬送する際もほぼ同様である。
【００５７】
第２の振分部４２は、エドモンソン券、大型券、ＰＥＴ券が連続して４枚挿入された際の４枚目のＰＥＴ券とＰＥＴ券が連続して４枚挿入された際の４枚目のＰＥＴ券以外のＰＥＴ券を振り分けるように構成、制御される。第２の振分部４２は、典型的には、第２の搬送路２２０によって搬送されるカード２がエドモンソン券、大型券、ＰＥＴ券が連続して４枚挿入された際の４枚目のＰＥＴ券の場合には、制御部１６０の信号により振分爪が第１の搬送路２１０への進入を遮断するように第１の搬送路２１０側に回動し、カード２を第６の搬送路２６０方向に搬送可能にする。さらに、第２の振分部４２は、カード２がＰＥＴ券が連続して４枚挿入された際の４枚目のＰＥＴ券以外のＰＥＴ券の場合には、制御部１６０の信号により振分爪が第６の搬送路２６０への進入を遮断するように第６の搬送路２６０側に回動してカード２を第１の搬送路２１０方向に搬送可能にする。なお、エドモンソン券、大型券、ＰＥＴ券が連続して４枚挿入された際の４枚目のＰＥＴ券を第６の搬送路２６０から第２の搬送路２２０に搬送する際、ＰＥＴ券が連続して４枚挿入された際の４枚目のＰＥＴ券以外のＰＥＴ券を第１の搬送路２１０から第２の搬送路２２０に搬送する際もほぼ同様である。
【００５８】
第３の振分部４３は、エドモンソン券、大型券を回数券パンチ部８０で処理するものとしないものとに振り分けるように構成、制御される。第３の振分部４３は、典型的には、第６の搬送路２６０によって廃券回収部９０側から第２の搬送路２２０の方向に搬送されるカード２が回数券パンチ部８０で処理するものである場合には、制御部１６０の信号により振分爪が第６の搬送路２６０を遮断するように第６の搬送路２６０側に回動し、カード２を第７の搬送路２７０方向に搬送可能にする。さらに、第３の振分部４３は、カード２が回数券パンチ部８０で処理するものでない場合には、制御部１６０の信号により振分爪が第７の搬送路２７０への進入を遮断するように第７の搬送路２７０側に回動してカード２を第６の搬送路２６０上で搬送可能にする。
【００５９】
なお、第１の振分部４１、第２の振分部４２、第３の振分部４３の各振分爪は、複数の部材によって構成してもよい。この場合、例えば、鉛直方向上側の上振分爪と、鉛直方向下側の下振分爪との鉛直方向への開閉によって搬送経路を切り換えるようにすればよい。
【００６０】
次に、挿入部２０は、利用者からのカード２の挿入を受け付けるものであり、例えば前記接客部からのカード２の挿入ガイドとなる挿入口２０ａと、挿入されたカード２の種類を識別するカード検知器２０ｂを有している。挿入口２０ａは、４種類のカード２、すなわち、エドモンソン券、大型券、ＰＥＴ券、ＩＣカードを挿入することができる幅に形成されている。エドモンソン券、大型券、ＰＥＴ券、ＩＣカードを挿入することができる幅とは、例えば、ＰＥＴ券又は大型券の横幅（約５７．５ｍｍ）よりもやや大きい幅である。カード検知器２０ｂは、例えば、複数のフォトセンサ等を用い、挿入されたカード２の枚数の検出も行なえるように構成されている。カード検知器２０ｂは、挿入されたカード２の種類、枚数に関する信号を制御部１６０に送信するように構成される。さらに、挿入部２０は、利用者からのカード２の挿入を受け付けるだけでなく、例えば挿入を受け付けたカード２を送出（返却）できるものである。言い換えれば、カード処理装置１内にあるカード２を挿入口２０ａから外部（利用者）へ送出できるものである。挿入部２０の下流側には整列部３０が配設されている。なお、下流側とは、挿入部２０に挿入されたカード２を装置内に取り込む方向である。
【００６１】
整列部３０は、挿入部２０から挿入されたカード２の幅寄せ（片寄せ）を行なうように構成される。整列部３０は、上述した第３の搬送路２３０と、板状に形成され、第３の搬送路２３０に沿うように、かつ、第３の搬送路２３０のカード２を挟持する面に対して略垂直となるように配設される基準ガイド面と、偏心して回転し、当該第３の搬送路２３０を挟んで基準ガイド面とは反対側に配設される偏心回転ローラを備える。整列部３０は、挿入されたカード２を基準ガイド面に沿って長手方向が搬送方向と略平行となるように整列する。ここで、整列部３０は、カード検知器２０ｂによって識別されたカード２の種類に応じて適宜偏心回転ローラの位置を移動させるソレノイド等も備える。例えば、挿入されたカード２がエドモンソン券である場合、制御部１６０は偏心回転ローラを退避させず、これにより、例えば、エドモンソン券が搬送方向に対して長辺方向が垂直となるように横向きに挿入された場合でも、偏心回転ローラと接触しながら、基準ガイド面側に押し出されるようにして基準ガイド面に沿って搬送、整列される。
【００６２】
エンコード部５０は、上述したように第２の搬送路２２０の搬送経路上に配設されている。エンコード部５０は、第２の搬送路２２０の搬送により搬送されるカード２に磁気情報処理を行うものである。磁気情報処理とは、カード２、典型的にはエドモンソン券、大型券の磁気情報の読み込み、ＰＥＴ券の磁気情報の読み込み・書き込み等を行う処理である。エンコード部５０は、カード２に磁気情報の読み込み・書き込み行なえる磁気ヘッドを有している。磁気情報は、カード２の残金を含む情報を含んでいる。また、エンコード部５０は、後述のパンチ情報を読み取ることができるように構成されている。
【００６３】
カードパンチ部６０は、上述したように第１の搬送路２１０の搬送経路上に配設されている。カードパンチ部６０は、第１の搬送路２１０により搬送されるカード２、典型的には、ＰＥＴ券であるプリペードカードに第１の穿孔処理を行なうものである。第１の穿孔処理とは、カードにカード情報としてのパンチ情報を記録する処理、例えばプリペードカードの残金の情報を示す孔をプリペードカードに設ける処理である。なお、この孔により示されるプリペードカードの残金の情報は、カードの利用目安となる所定の位置に行なわれる。カードパンチ部６０は、プリペードカードに穿孔するパンチ機構と、搬送されるプリペードカードを検知する検知器を有している。パンチ機構は、プリペードカードに穿孔する穿孔ピンを有している。穿孔ピンは、鋭利な先端を有し、ソレノイドの駆動によりプリペードカードに穿孔できる。
【００６４】
印字部７０は、上述したように第１の搬送路２１０の搬送経路上、カードパンチ部６０の下流側に配設されている。印字部７０は、第１の搬送路２１０により搬送されるカード２、典型的には、ＰＥＴ券であるプリペードカードに印字処理を行なうものである。印字処理とは、プリペードカードに利用情報を記録する処理、例えばプリペードカードの残金の情報を示す印字を行なう処理である。印字部７０は、プリペードカードへの印字を行なうサーマルヘッドを有している。
【００６５】
回数券パンチ部８０は、上述したように第７の搬送路２７０の搬送経路上、第３の振分部４３と後述の第７の保留部３７０との間に配設されている。回数券パンチ部８０は、第７の搬送路２７０により搬送されるカード２、典型的には、ここではエドモンソン券である回数券に第２の穿孔処理を行なうものである。第２の穿孔処理とは、回数券に再度使用できないように孔を設ける処理である。回数券パンチ部８０は、カードパンチ部６０とほぼ同様な構成をしているので、ここでは説明を省略する。
【００６６】
廃券回収部９０は、上述したように第６の搬送路２６０の第２の搬送路２２０とは反対側の端部に配設されている。廃券回収部９０は、第６の搬送路２６０により搬送され、廃券処理されるエドモンソン券、大型券を回収、保管するものであり、エドモンソン券、大型券を収納する収納受皿を有している。廃券処理とは、例えばエンコード部５０による磁気情報処理を終えたエドモンソン券である乗車券、大型券、回数券パンチ部８０による第２の穿孔処理が施されたエドモンソン券である回数券を廃棄する処理である。
【００６７】
アンテナ部１１０は、上述したように第４の搬送路２４０の第３の搬送路２３０とは反対側の端部に配設されている。アンテナ部１１０は、挿入されたＩＣカードのメモリに記憶されているカード情報の読み込み、書き込み等のカード情報に関する各種処理を行う。カード情報は、例えば金銭決済情報、残高金額やカードＩＤ番号等の情報を含んでいる。残高金額は、ＩＣカードに入金（積み増し）されている金額から利用した金額（精算した金額）を差し引いた金額である。カード情報は、例えばビット列で記録され、電磁波を用いて非接触で読み出し又は書き込みできるものである。アンテナ部１１０は、ＩＣカードとの間で電磁波を送受信する機能を有し、さらに、カードリーダライタを備える。当該カードリーダライタは、ＩＣカードに書き込まれたカード情報を読み込んだり、書き換えたりするもので、例えば所定周波数帯域の電磁波をカード情報の授受に用いる。なお、本実施の形態のように、アンテナ部１１０を挿入部２０から水平に移動した部分に配設すると、剛性を有するＩＣカードが搬送される際に曲がったりすることがないので破損してしまうことがない。
【００６８】
集積部１４０は、第３の搬送路２３０の搬送経路上、整列部３０と第１の振分部４１との間に配設されている。集積部１４０は、板金等を略Ｌ字型に曲げて形成されたストッパー部１３０と協動して、各処理を施され、第３の搬送路２３０により挿入部２０に向かって搬送さるＰＥＴ券、ＩＣカードを集積するものである。集積部１４０に集積されたＰＥＴ券、ＩＣカードは、一括して挿入口２０ａに搬送される。ただし、利用者が取り消しボタンを押して、カード処理装置１による処理をキャンセルした場合は、ＰＥＴ券、ＩＣカードは集積せずに一枚ずつ挿入口２０ａに搬送される。ストッパー部１３０は、上述したストッパー３１１（図２参照）と同様に、略Ｌ字型の短辺が第３の搬送路２３０の搬送経路と略垂直に交わるように配設される。ストッパー部１３０は、通常では略Ｌ字型の短辺の先端が第３の搬送路２３０の搬送経路よりも下方に退避しており、集積部１４０にＰＥＴ券、ＩＣカードを集積する際に、ソレノイドによって駆動されて当該先端が搬送経路の上側に突出し、略Ｌ字型の短辺にＰＥＴ券、ＩＣカードを当接させて一時保留する。
【００６９】
取忘回収部１５０は、第４の搬送路２４０の搬送経路上、第１の振分部４１とアンテナ部１１０との間、典型的には、第１の振分部４１の直下流に配設されている。取忘回収部１５０は、挿入部２０で取り忘れられたカード２を回収するもので、カード２を収納する収納受皿を有している。
【００７０】
制御部１６０は、カード検知器２０ｂから送信されるカード２の種類、枚数に関する信号に基づいて、駆動機２８１（図１参照）やソレノイド３３２（図３参照）等の駆動を制御する。さらに、制御部１６０は、カード処理装置１内での各種信号、情報（上述したカード情報、パンチ情報、利用情報、印刷情報、磁気情報等）の入出力を行いカード処理装置１の各部の動作を制御するように構成されており、ここでは、電源装置と一体に構成されている。制御部１６０は、例えばパソコンやマイコンなどのコンピュータであり、カード処理装置１の内部にあってもよいし、外部にあってもよい。また、制御部１６０は、上位装置、例えば自動精算機等との信号、情報の入出力を行い、精算等の処理に応じてカード処理装置１の各部の動作を制御する。
【００７１】
次に、図１を参照してカード処理装置１の動作について説明する。まず、カード処理装置１は、挿入部２０の挿入口２０ａより挿入されるカード２を受け付け取り込み、カード検知器２０ｂによりカード２の種類を識別し、整列部３０で整列する。識別の結果、挿入されたカード２がエドモンソン券、大型券、ＰＥＴ券の場合は、カード処理装置１は、第１の振分部４１を駆動して、第２の搬送路２２０への搬送を可能な状態として、カード２をエンコード部５０へ搬送する。さらに、カード処理装置１は、エンコード部５０でカード２の磁気情報を読み取り、カード２は第１の保留部３１０、第２の保留部３２０、第３の保留部３３０、第４の保留部３４０、第５の保留部３５０、第６の保留部３６０、第７の保留部３７０のいずれかで保留される。識別の結果、挿入されたカード２がＩＣカードの場合は、カード処理装置１は、第１の振分部４１を駆動して、第４の搬送路２４０への搬送を可能な状態として、カード２をアンテナ部１１０へ搬送する。カード処理装置１は、アンテナ部１１０でＩＣカードのカード情報を読み取り、ＩＣカードはそのまま第８の保留部３８０で保留される。その後２枚目のＩＣカードが挿入されると、１枚目のＩＣカードは第９の保留部３９０に搬送され、そこで保留される。２枚目のＩＣカードは、第８の保留部３８０で保留される。
【００７２】
ここからは、より具体的な動作例として、１枚目にＰＥＴ券である定期券、２枚目にＰＥＴ券であるプリペードカード、３枚目にさらに別のプリペードカード、４枚目にエドモンソン券である回数券が挿入される場合のカード処理装置１の動作について説明する。
【００７３】
まず、１枚目のカード２として定期券が挿入されると、定期券は上述したようにエンコード部５０で磁気情報を読み取られ、第１の保留部３１０に搬送される。その後、カード処理装置１は、制御部１６０の制御により、不図示のストッパー駆動手段を駆動してストッパー３１１（図２参照）を動かし、第１の保留部３１０で定期券を保留する。次に、２枚目のカード２として精算用の第１のプリペードカードが挿入されると、第１のプリペードカードは、上述したようにエンコード部５０で磁気情報を読み取られ、第２の保留部３２０に搬送される。このとき、第１の保留部３１０は既に定期券を保留している状態にあり、ストッパー３１１（図２参照）の略Ｌ字型の短辺の先端が搬送経路の上側に突出している。第２の保留部３２０に搬送されてくる第１のプリペードカードは、ストッパー３１１の略Ｌ字型の短辺の先端に当接し、これ以上奥には搬送されず、第２の保留部３２０に保留される。カード処理装置１は、第２の保留部３２０に第１のプリペードカードを保留すると、制御部１６０の制御により第５の搬送路２５０の駆動を停止する。
【００７４】
さらに、３枚目のカード２として精算用の第２のプリペードカードが挿入されると、第２のプリペードカードは、上述したようにエンコード部５０で磁気情報を読み取られ、第３の保留部３３０に搬送される。その後、制御部１６０の制御により、ソレノイド３３２（図３参照）を駆動して、従動ローラ２１２ａ、２１２ｂ（図３参照）、保留板３３１ａ、３３１ｂ（図３参照）を駆動ローラ２１１ａ、２１１ｂ（図３参照）から引き離し、従動ローラ２１２ａ、２１２ｂと保留板３３１ａ、３３１ｂの間に第２のプリペードカードを挟持して、そのまま第３の保留部３３０に保留する。
【００７５】
さらに、４枚目のカード２として精算用の回数券が挿入されると、回数券は上述したようにエンコード部５０で磁気情報を読み取られる。さらに、カード処理装置１は、第２の振分部４２を駆動して、第６の搬送路２６０への搬送を可能な状態として、回数券を第４の保留部３４０に搬送し、当該第４の保留部３４０で保留する。このとき、回数券を第６の搬送路２６０へ搬送するために第２の搬送路２２０は駆動を続けており、従って共通の駆動機２８１によって駆動される第１の搬送路２１０も駆動し続けている。しかしながら、第３の保留部３３０では、第２のプリペードカードは駆動ローラ２１１ａ、２１１ｂ（図３参照）から引き離されて保留されているため、そのまま第３の保留部３３０で保留し続けられる。
【００７６】
カード２の取り込みが終わり、種々の処理が終了すると、第４の保留部３４０に保留されている回数券は、回数券パンチ部８０に搬送されて第２の穿孔処理が行われる。その後、回数券は、廃券回収部９０に搬送され回収、保管される。第３の保留部３３０に保留されている第２のプリペードカードは、印字部７０で印字処理が行われ、カードパンチ部６０で第１の穿孔処理が行なわれ、エンコード部５０で磁気情報を書き込まれ（このとき第２のプリペードカードの残額は０円である）、集積部１４０へ搬送される。このとき、カード処理装置１は、制御部１６０の制御により、ソレノイド３３２（図３参照）を駆動して、従動ローラ２１２ａ、２１２ｂ（図３参照）、保留板３３１ａ、３３１ｂ（図３参照）を駆動ローラ２１１ａ、２１１ｂ（図３参照）の方向に移動させて、第１の搬送路２１０でのカード２の搬送が可能である状態に戻している。
【００７７】
次に、カード処理装置１は、制御部１６０の制御により第５の搬送路２５０の駆動を開始する。第２の保留部３２０に保留されている第１のプリペードカードは、印字部７０で印字処理が行われ、カードパンチ部６０で第１の穿孔処理が行なわれ、エンコード部５０で磁気情報を書き込まれ（このとき第１のプリペードカードの残額は０円である）、集積部１４０へ搬送される。この際、第１の保留部３１０に保留されている定期券は、ストッパー３１１（図２参照）の略Ｌ字型の短辺の先端に当接し、搬送されない。
【００７８】
次に、カード処理装置１は、制御部１６０の制御によりストッパー３１１（図２参照）を動かし、第１の保留部３１０に保留されている定期券を、そのまま集積部１４０へ搬送する。集積部１４０に第２のプリペードカード、第１のプリペードカード、定期券の順で集積されたカード２は、一括して挿入部２０の挿入口２０ａに搬送され、排出される。その後、本カード処理装置１が、例えば自動精算機に内蔵されているのであれば、自動精算機に組み込まれている券発券装置等から精算済みであることを示す券が発券される。
【００７９】
以上で説明した本発明の実施の形態に係るカード処理装置１によれば、第１の搬送路２１０は、駆動ローラ２１１ａ、２１１ｂと従動ローラ２１２ａ、２１２ｂとの間にカード状の媒体を挟持して搬送し、第３の保留部３３０は、カード２を保留する際に当該カード２を駆動ローラ２１１ａ、２１１ｂから引き離す。さらに、カード２が駆動ローラ２１１ａ、２１１ｂから引き離される際に、従動ローラ２１２ａ、２１２ｂの従動は停止し、第３の保留部３３０はカード２を従動ローラ２１２ａ、２１２ｂと保留板３３１ａ、３３１ｂとの間に保留する。従って、カード処理装置１は、駆動ローラ２１１ａ、２１１ｂの駆動状況にかかわらず、すなわち、駆動ローラ２１１ａ、２１１ｂの駆動を停止せずに、カード２を容易に一時的に保留することができる。
【００８０】
以上で説明した本発明の実施の形態に係るカード処理装置１によれば、第２の搬送路２２０は、下搬送ガイド２２２と上搬送ガイド２２１との間にカード２を挟持して搬送する。さらに、駆動ローラ２１１ａ、２１１ｂと下搬送ガイド２２２、上搬送ガイド２２１は、共通の駆動機２８１によって駆動されるのでカード処理装置１を小型化することができる。さらに、第３の保留部３３０で保留されるカード２は、当該カード２を駆動ローラ２１１ａ、２１１ｂから引き離されて保留するので、カード処理装置１は、第３の保留部３３０でカード２を保留しながら、第３の保留部３３０が配設される第１の搬送路２１０と共通の駆動源によって駆動される第２の搬送路２２０でのカード２の搬送を続けることができる。
【００８１】
なお、本発明の実施の形態であるカード処理装置１は、上述した実施の形態に限定されず、特許請求の範囲に記載された範囲で種々の変更が可能である。以上の説明では、第１の搬送部としての第１の搬送路２１０の第１の駆動ガイドは、略円筒状に形成された回転ローラである駆動ローラ２１１ａ、２１１ｂとして説明したが、搬送ベルトによって構成してもよい。同様に第１の搬送路２１０の第１の従動ガイドは、略円筒状に形成された回転ローラである従動ローラ２１２ａ、２１２ｂとして説明したが、搬送ベルトによって構成してもよい。さらに、第１の搬送路２１０の第１の駆動ガイドは、第２の搬送部としての第２の搬送路２２０の第２の駆動ガイドと共通の下搬送ベルト２２２としてもよい。
【００８２】
以上の説明では、従動ローラ２１２ａ、２１２ｂは、カード２が駆動ローラ２１１ａ、２１１ｂから引き離された後に従動が停止するものとして説明したが、カード２が駆動ローラ２１１ａ、２１１ｂから引き離される際であれば、カード２が駆動ローラ２１１ａ、２１１ｂから引き離される少し前に停止してもよい。すなわち、駆動ローラ２１１ａ、２１１ｂの駆動を瞬間的に停止し、従動ローラ２１２ａ、２１２ｂの従動を一旦停止した後に、カード２を駆動ローラ２１１ａ、２１１ｂから引き離し、その後駆動ローラ２１１ａ、２１１ｂの駆動を再開してもよい。この場合、カード２の保留位置がずれずに、確実にカード２を保留することができる。
【００８３】
さらに、以上の説明では、第２の搬送部として第２の搬送路２２０は、第２の駆動ガイドとしての下搬送ベルト２２２と対向して配設され、駆動可能に構成される第３の駆動ガイドとしての上搬送ベルト２２１を有し、媒体としてのカード２を下搬送ベルト２２２と当該上搬送ベルト２２１との間に挟持して搬送するように構成するものとして説明したが、上搬送ベルト２２１は下搬送ベルト２２２の駆動に伴って従動する従動ガイドとしてもよい。すなわち、カード処理装置１は、第１の駆動ガイドとしての駆動ローラ２１１ａ、２１１ｂを駆動する駆動手段としての駆動機２８１と、駆動可能に構成される第２の駆動ガイドとしての下搬送ベルト２２２と、当該下搬送ベルト２２２と対向して配設され、下搬送ベルト２２２の駆動に伴って従動する第２の従動ガイドとしての上搬送ベルト２２１とを有し、カード２を下搬送ベルト２２２と上搬送ベルト２２１との間に挟持して搬送する第２の搬送部としての第２の搬送路２２０とを備え、駆動機２８１は、下搬送ベルト２２２を駆動するように構成してもよい。この場合、カード処理装置１をより単純な構成とすることができ、生産効率のよいカード処理装置１とすることができる。
【図面の簡単な説明】
【００８４】
【図１】本発明の実施の形態に係るカード処理装置の構成例を示す模式的断面図である。
【図２】本発明の実施の形態に係るカード処理装置の第５の搬送路、第１の保留部、第２の保留部を示す図である。
【図３】本発明の実施の形態に係るカード処理装置の第１の搬送路、第３の保留部を示す正面図であり、（ａ）は第３の保留部がカードを保留していない状態、（ｂ）は第３の保留部がカードを保留している状態を示す図である。
【図４】本発明の実施の形態に係るカード処理装置の第１の搬送路、第３の保留部を示す図であり、（ａ）は図３（ｂ）の矢印Ａに示す矢視図、（ｂ）は図４（ａ）のｂ−ｂで示す断面図である。
【符号の説明】
【００８５】
１    カード処理装置
２    カード
２０    挿入部
２０ｂ    カード検知器
３０    整列部
５０    エンコード部
６０    カードパンチ部
７０    印字部
８０    回数券パンチ部
９０    廃券回収部
１１０    アンテナ部
１３０    ストッパー部
１４０    集積部
１５０    取忘回収部
１６０    制御部
２００    搬送装置
２１０    第１の搬送路
２１１ａ、２１１ｂ    駆動ローラ
２１２ａ、２１２ｂ    従動ローラ
２２０    第２の搬送路
２２１、２５１    上搬送ベルト
２２２、２５２    下搬送ベルト
２８１、２８３、２８４、２８５、２８６、２８７  駆動機
３００    保留部
３３０    第３の保留部
３３１ａ、３３１ｂ    保留板
３３２    ソレノイド
３３２ａ    ブラケット
３３３、３３４ａ、３３４ｂ、３３６ａ、３３６ｂ    保留板支持部材
【図１】
2006103914.tif 000003
【図２】
2006103914.tif 000004
【図３】
2006103914.tif 000005
【図４】
2006103914.tif 000006